(57)【特許請求の範囲】
【請求項１】
建物内の下地部材間に形成される目地溝の部分に貼設して目地処理を行うための内装用目地処理テープであって、
テープ本体の長手方向に延びる一直線上のみに並んで、複数の孔が穿設されていることを特徴とする内装用目地処理テープ。
【請求項２】
前記テープ本体の幅方向の中央の一直線上のみに、前記複数の孔が穿設されていることを特徴とする請求項１に記載の内装用目地処理テープ。
【請求項３】
前記テープ本体の前記複数の孔は、前記下地部材間に形成される前記目地溝にパテを充填せずに貼設した状態で、上側からのパテ塗り作業の工程だけで前記目地溝内全体に略隙間無くパテが充填され、且つ、前記下地部材間の繋ぎ補強強度が必要充分となる径及び間隔に設定されていることを特徴とする請求項１又は２に記載の内装用目地処理テープ。
【請求項４】
前記孔の径をａとし、前記孔同士の間隔をｂとすると、
前記目地溝内へのパテの充填性の基準として、ａ≧４ｍｍ且つｂ≦８ｍｍの条件を満たすように設定されていることを特徴とする請求項３に記載の内装用目地処理テープ。
【請求項５】
繋ぎ補強強度の基準として、ｂ≧４ｍｍの条件も満たすように設定されていることを特徴とする請求項４に記載の内装用目地処理テープ。
【請求項６】
請求項１乃至５のいずれか１項に記載の内装用目地処理テープを用い、
建物内の下地部材間に形成される目地溝にパテを充填せずに、前記内装用目地処理テープを、前記複数の孔が前記目地溝の上側に位置するように貼設し、その上側からパテを塗り、前記複数の孔を通して、パテを前記目地溝内に充填させて目地処理を行うことを特徴とする内装用目地処理方法。
【発明の詳細な説明】
【技術分野】
【０００１】
本発明は、建物内の下地部材間に形成される目地溝の部分に貼設して目地処理を行うための内装用目地処理テープ、及びこの内装用目地処理テープを用いた内装用目地処理方法に関するものである。
【背景技術】
【０００２】
従来から、建物内の壁や天井等の下地部材間に形成される目地溝の部分に貼設して目地処理を行うには、目地溝内にパテを充填させてから、内装用目地処理テープを貼設し、さらにその上からパテを塗る内装用目地処理方法がなされていた（例えば特許文献１等を参照）。
【先行技術文献】
【特許文献】
【０００３】
【特許文献１】特開２０００−３５２１７４号公報
【発明の概要】
【発明が解決しようとする課題】
【０００４】
しかしながら、上記した特許文献１のような従来の内装用目地処理方法では、目地溝内にパテを充填させるパテ塗り作業の工程と、内装用目地処理テープを貼設した上からパテを塗るパテ塗り作業の工程の少なくとも２回のパテ塗り作業の工程が必要であり、その分、工期が長くなっていた。
【０００５】
また、目地溝内にパテを充填させるパテ塗り作業の工程において、どうしてもパテが目地溝の脇にはみ出してしまい、そのはみ出したパテのせいで、下地部材への内装用目地処理テープの接着性が低下し、その分、内装用目地処理テープによる下地部材間の繋ぎ補強強度まで低下させてしまっていた。
【０００６】
さらに、下地部材間に内装用目地処理テープを貼設するに際し、はっきりとした目安等が無かったため、目地に対して、偏ったり蛇行したりして、その分、内装用目地処理テープによる下地部材間の繋ぎ補強強度を更に低下させてしまっていた。
【０００７】
そこで、本発明は、１回のパテ塗り作業の工程だけで目地処理を行うことができ、その分、工期を短縮することができるうえに、下地部材間の繋ぎ補強強度の低下も防止することができる内装用目地処理テープ、及びこの内装用目地処理テープを用いた内装用目地処理方法を提供することを目的としている。
【課題を解決するための手段】
【０００８】
前記目的を達成するために、本発明の内装用目地処理テープは、建物内の下地部材間に形成される目地溝の部分に貼設して目地処理を行うための内装用目地処理テープであって、テープ本体の長手方向に延びる一直線上のみに並んで、複数の孔が穿設されていることを特徴とする。
【０００９】
ここで、前記テープ本体の幅方向の中央の一直線上のみに、前記複数の孔が穿設されているとよい。
【００１０】
また、前記テープ本体の前記複数の孔は、前記下地部材間に形成される前記目地溝にパテを充填せずに貼設した状態で、上側からのパテ塗り作業の工程だけで前記目地溝内全体に略隙間無くパテが充填され、且つ、前記下地部材間の繋ぎ補強強度が必要充分となる径及び間隔に設定されているとよい。
【００１１】
さらに、前記孔の径をａとし、前記孔同士の間隔をｂとすると、前記目地溝内へのパテの充填性の基準として、ａ≧４ｍｍ且つｂ≦８ｍｍの条件を満たすように設定されているとよい。
【００１２】
そのうえで、繋ぎ補強強度の基準として、ｂ≧４ｍｍの条件も満たすように設定されているとよい。
【００１３】
本発明の内装用目地処理方法は、上記した本発明の内装用目地処理テープを用い、建物内の下地部材間に形成される目地溝にパテを充填せずに、前記内装用目地処理テープを、前記複数の孔が前記目地溝の上側に位置するように貼設し、その上側からパテを塗り、前記複数の孔を通して、パテを前記目地溝内に充填させて目地処理を行うことを特徴とする。
【発明の効果】
【００１４】
このような本発明の内装用目地処理テープは、建物内の下地部材間に形成される目地溝の部分に貼設して目地処理を行うための内装用目地処理テープであって、テープ本体の長手方向に延びる一直線上のみに並んで、複数の孔が穿設された構成とされている。
【００１５】
上記した構成なので、内装用目地処理テープを、建物内の下地部材間に貼設した後に、上側からパテを塗れば、複数の孔から目地溝内にパテが充填されるため、１回のパテ塗り作業の工程だけで目地処理を行うことができ、その分、工期を短縮することができる。
【００１６】
そのうえ、目地溝内にパテを充填させるパテ塗り作業の前に、複数の孔を目安として内装用目地処理テープを下地部材間に貼設することができるので、はみ出したパテによる接着性の低下と、偏ったり蛇行したりすることによる接着性の低下とを極めて少なくでき、その分、下地部材間の繋ぎ補強強度の低下も防止することができる。
【００１７】
ここで、テープ本体の幅方向の中央の一直線上のみに、複数の孔が穿設されている場合は、複数の孔を、目地溝の上側に位置するように貼設すれば、上側からパテを塗るパテ塗り作業において目地溝内にパテが充分に充填されるようにすることができるうえに、左右の繋ぎ補強強度を略均等にすることができる。
【００１８】
また、テープ本体の複数の孔は、下地部材間に形成される目地溝にパテを充填せずに貼設した状態で、上側からのパテ塗り作業の工程だけで目地溝内全体に略隙間無くパテが充填され、且つ、下地部材間の繋ぎ補強強度が必要充分となる径及び間隔に設定されている場合は、目地溝内のパテの充填率及び下地部材間の繋ぎ補強強度が必要充分に確保された目地処理を行うことができる。
【００１９】
さらに、孔の径をａとし、孔同士の間隔をｂとすると、目地溝内へのパテの充填性の基準として、ａ≧４ｍｍ且つｂ≦８ｍｍの条件を満たすように設定されている場合は、目地溝内のパテの充填率が必要充分に確保された目地処理を行うことができる設計が容易である。
【００２０】
そのうえで、繋ぎ補強強度の基準として、ｂ≧４ｍｍの条件も満たすように設定されている場合は、下地部材間の繋ぎ補強強度も必要充分に確保された目地処理を行うことができる設計が容易である。
【００２１】
このような本発明の内装用目地処理方法は、上記した本発明の内装用目地処理テープを用い、建物内の下地部材間に形成される目地溝にパテを充填せずに、内装用目地処理テープを、複数の孔が目地溝の上側に位置するように貼設し、その上側からパテを塗り、複数の孔を通して、パテを目地溝内に充填させて目地処理を行う構成とされている。  
【００２２】
上記した構成なので、上記した本発明の内装用目地処理テープの効果を奏する内装用目地処理方法を行うことができる。
【図面の簡単な説明】
【００２３】
【図１】（ａ）は、実施例の内装用目地処理テープを表面側から見た図であり、（ｂ）は、（ａ）におけるＡ−Ａ線矢視断面図である。
【図２】（ａ）は、実施例の内装用目地処理方法の段階を示す図であって、（ｂ）は、（ａ）におけるＢ−Ｂ線矢視断面図である。
【図３】（ａ）は、実施例の内装用目地処理方法の段階を示す図であって、（ｂ）は、（ａ）におけるＣ−Ｃ線矢視断面図である。
【図４】（ａ）は、実施例の内装用目地処理方法の段階を示す図であって、（ｂ）は、（ａ）におけるＤ−Ｄ線矢視断面図である。
【図５】内装用目地処理テープの孔の径と間隔を変えて、下地部材間の繋ぎ補強強度と目地溝内へのパテの充填性とを比較した表である。
【発明を実施するための形態】
【００２４】
以下、本発明を実施するための形態を、図面に示す実施例に基づいて説明する。
【実施例】
【００２５】
先ず、実施例の構成について説明する。
【００２６】
図１は、実施例の内装用目地処理テープ１の概略構成を示している。
【００２７】
この実施例の内装用目地処理テープ１は、図１（ｂ）に示したように、不織布、経糸及び緯糸を有する織布、及びこれらの組合せから選択させる布にラミネート加工を施したラミネート加工布から成る厚さ０．１５ｍｍで幅が４０ｍｍのテープ本体１Ａの裏面に、両面テープを貼り付けるなどして形成した厚さ０．１５ｍｍで幅が４０ｍｍの接着層１Ｂが設けられたものである。
【００２８】
なお、このラミネート加工布から成るテープ本体１Ａの表面側は、紙やすりや針等によってひっかき加工され、毛羽立たせており、パテ５との密着性を向上させている。
【００２９】
そのうえで、図１（ａ）に示したように、テープ本体１Ａの幅方向の中央の長手方向に延びる一直線上のみに並んで、複数の孔２，・・・が穿設されている。
【００３０】
ここで、これらの孔２の径ａは５ｍｍに、孔２，２間の間隔ｂは８ｍｍにそれぞれ設定されている。
【００３１】
なお、保管時は、通常のテープ類と同様に、芯材に巻き付けられている。
【００３２】
次に、実施例の内装用目地処理方法について、図２〜図４を参照しながら説明する。
【００３３】
まず、図示省略の建物内における壁や天井等の石膏ボード等から成る下地部材３，３間には、図２に示したように、断面Ｖ字形状の目地溝４が形成されている。
【００３４】
なお、ここでは、この目地溝４の幅は５ｍｍで、深さは２．５ｍｍである。
【００３５】
この状態から、図３に示したように、下地部材３，３間の目地溝４内にパテ５を充填せずに、上記した内装用目地処理テープ１を貼設する。
【００３６】
この内装用目地処理テープ１を貼設する際には、複数の孔２，・・・が下地部材３，３間の目地溝４の上側に位置するようにして貼設する。
【００３７】
続いて、その上側からパテ５を塗るパテ塗り作業を行うと、内装用目地処理テープ１の複数の孔２，・・・から下地部材３，３間の目地溝４内にパテ５が充填されるとともに、表面がパテ５によって滑らかとなり、図４に示したように、目地処理が完了する。
【００３８】
次に、内装用目地処理テープ１の孔２の径ａと間隔ｂを変えて、下地部材３，３間の繋ぎ補強強度と目地溝４内へのパテ５の充填性とを比較する実験を行った。
【００３９】
ここで、孔２の径ａは、３ｍｍ、４ｍｍ、５ｍｍとし、孔２，２の間隔ｂは、３ｍｍ、４ｍｍ、５ｍｍ、６ｍｍ、７ｍｍ、８ｍｍ、９ｍｍとし、これらの組合せの全２１種類のものについて検証した。
【００４０】
左側の欄を、目地溝４内へのパテ５の充填性（目地溝４内へ隙間なくパテ５が充填されるかどうかを示す性能）とし、右側の欄を、下地部材３，３間の繋ぎ補強強度（揺れ等に対する強度）として表を作成すると、図５に示したようになった。
【００４１】
結果、下地部材３，３間の繋ぎ補強強度と、目地溝４内へのパテ５の充填性の両者がともに基準を満たすのは、孔２の径ａと孔２，２の間隔ｂの組み合わせを（ａ，ｂ）として、（４，４）、（４，５）、（４，６）、（４，７）、（４，８）、（５，４）、（５，５）、（５，６）、（５，７）、及び（５，８）の計１０のものであった。他のものが基準を満たさなかったのは、孔２の径ａが小さ過ぎたり、孔２，２の間隔ｂが大き過ぎたりすると、目地溝４へのパテ５の充填性が低くなり、また、孔２，２の間隔ｂが小さ過ぎると繋ぎ補強強度が低くなることに起因する。
【００４２】
なお、下地部材３，３間の繋ぎ補強強度を考慮し、目地溝４内へのパテ５の充填密度まで重視すると、最適なのは、上記した実施例の数値と同様の孔２の径ａが５ｍｍで孔２，２間の間隔ｂが８ｍｍのものであった。
【００４３】
この検証結果から、孔の径をａとし、孔同士の間隔をｂとすると、目地溝４内へのパテ５の充填性の基準として、ａ≧４ｍｍ且つｂ≦８ｍｍの条件を満たすとともに、繋ぎ補強強度の基準として、ｂ≧４ｍｍの条件を満たすように設定されていると良いことが分かった。
【００４４】
次に、実施例の作用効果について説明する。
【００４５】
このような実施例の内装用目地処理テープ１は、建物内の下地部材３，３間に形成される目地溝４の部分に貼設して目地処理を行うための内装用目地処理テープであって、テープ本体１Ａの長手方向に延びる一直線上のみに並んで、複数の孔２，・・・が穿設された構成とされている。
【００４６】
上記した構成なので、内装用目地処理テープ１を、建物内の下地部材３，３間に貼設した後に、上側からパテ５を塗れば、複数の孔２，・・・から目地溝４内にパテが充填されるため、１回のパテ塗り作業の工程だけで目地処理を行うことができ、その分、工期を短縮することができる。
【００４７】
そのうえ、目地溝４内にパテ５を充填させるパテ塗り作業の前に、複数の孔２，・・・を目安として内装用目地処理テープ１を下地部材３，３間に貼設することができるので、はみ出したパテ５による接着性の低下と、偏ったり蛇行したりすることによる接着性の低下とを極めて少なくでき、その分、下地部材３，３間の繋ぎ補強強度の低下も防止することができる。
【００４８】
ここで、テープ本体１Ａの幅方向の中央の一直線上のみに、複数の孔２，・・・が穿設されている。
【００４９】
このため、複数の孔２，・・・を、目地溝４の上側に位置するように貼設すれば、上側からパテ５を塗るパテ塗り作業において目地溝４内にパテ５が充分に充填されるようにすることができるうえに、左右の繋ぎ補強強度を略均等にすることができる。
【００５０】
また、テープ本体１Ａの複数の孔２，・・・は、下地部材３，３間に形成される目地溝４にパテ５を充填せずに貼設した状態で、上側からのパテ塗り作業の工程だけで目地溝４内全体に略隙間無くパテ５が充填され、且つ、下地部材３，３間の繋ぎ補強強度が必要充分となる径ａ及び間隔ｂに設定されている。
【００５１】
このため、目地溝４内のパテ５の充填率及び下地部材３，３間の繋ぎ補強強度が必要充分に確保された目地処理を行うことができる。
【００５２】
さらに具体的には、孔２の径をａとし、孔２，２同士の間隔をｂとすると、目地溝４内へのパテ５の充填性の基準として、ａ≧４ｍｍ且つｂ≦８ｍｍの条件を満たすように設定されている。
【００５３】
このため、目地溝４内のパテ５の充填率が必要充分に確保された目地処理を行うことができる設計が容易である。
【００５４】
そのうえで、繋ぎ補強強度の基準として、ｂ≧４ｍｍの条件も満たすように設定されている。
【００５５】
このため、下地部材３，３間の繋ぎ補強強度も必要充分に確保された目地処理を行うことができる設計が容易である。
【００５６】
このような実施例の内装用目地処理方法は、上記した実施例の内装用目地処理テープ１を用い、建物内の下地部材３，３間に形成される目地溝４にパテ５を充填せずに、内装用目地処理テープ１を、複数の孔２，・・・が目地溝４の上側に位置するように貼設し、その上側からパテ５を塗り、複数の孔２，・・・を通して、パテ５を目地溝４内に充填させて目地処理を行う構成とされている。  
【００５７】
上記した構成なので、上記した実施例の内装用目地処理テープ１の作用効果を奏する内装用目地処理方法を行うことができる。
【００５８】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００５９】
例えば、上記した実施例では、内装用目地処理テープ１の孔２，・・・を円孔として実施したが、これに限定されず、その他の形状の孔で実施してもよい。
【００６０】
なお、この場合、孔２の径とは、孔２のテープ本体１Ａの長手方向の長さを示すように定義し、孔２，２の間隔とは、隣り同士の孔２，２同士間の長さを示すように定義するとよい。
【００６１】
また、上記した実施例では、内装用目地処理テープ１のテープ本体１Ａを、ラミネート加工を施したラミネート加工布から成るものとして実施したが、これに限定されず、不織布、経糸及び緯糸を有する織布等で実施してもよい。
【００６２】
さらに、上記した実施例では、目地溝４を、一般的な、幅が５ｍｍで、深さは２．５ｍｍのものとして実施したが、これに限定されず、例えば、これより幅や深さが多少異なるもので実施しても、本発明の作用効果は充分に得られる。
【符号の説明】
【００６３】
１      内装用目地処理テープ
１Ａ    テープ本体
１Ｂ    接着層
２      孔
３      下地部材
４      目地溝
５      パテ
【図１】
0006438358.tif 000002
【図２】
0006438358.tif 000003
【図３】
0006438358.tif 000004
【図４】
0006438358.tif 000005
【図５】
0006438358.tif 000006